(57)【特許請求の範囲】
【請求項１】
綿状再生パルプ質の吸水性シートの下面に防水性シートを被覆し、吸水性シートの上面を身体に当接して使用する再生おむつであって、前記再生パルプ質の吸水性シートが、綿状パルプ・高分子吸収ポリマー・不織布・防水性シートで構成された使用済みのおむつ又は使用済みの尿取りパッドを破砕して離水剤を混入した撹拌槽で水溶化し、高分子吸収ポリマーの吸水した水分を離水させ、循環分離槽で不織布及び防水性シートを除去してパルプ成分を回収し、更にパルプ成分を比重分離槽で分離させて上位部分のパルプを回収し、同パルプ成分を洗浄・殺菌・乾燥処理して綿状の再生パルプを得、この工程を経て再生した綿状再生パルプをシート状に形成して製造されたものである事を特徴とする再生おむつ。
【請求項２】
吸水性シートが高分子吸収ポリマー層とシート状の綿状再生パルプを積層したものである請求項１記載の再生おむつ。
【請求項３】
吸水性シートが高分子吸収ポリマー層と綿状再生パルプにバージンパルプを混合させたシート状のパルプを積層したものである請求項１記載の再生おむつ。
【請求項４】
防水性シートが非透水性の合成樹脂フィルムで構成したものである請求項１〜３いずれか記載の再生おむつ。
【請求項５】
防水性シートが生分解性プラスチックで構成したものである請求項１〜３いずれか記載の再生おむつ。
【請求項６】
綿状再生パルプ質の吸水性シートの下面に防水性シートを被覆し、吸水性シートの上面を身体に当接して使用する再生尿取りパッドであって、前記再生パルプ質の吸水性シートが、綿状パルプ・高分子吸収ポリマー・不織布・防水性シートで構成した使用済みのおむつ又は使用済みの尿取りパッドを破砕して離水剤を混入した撹拌槽で水溶化し、高分子吸収ポリマーの吸水した水分を離水させ、循環分離槽で不織布及び防水性シートを除去してパルプ成分を回収し、更にパルプ成分を比重分離槽で分離させて上位部分のパルプを回収し、同パルプ成分を洗浄・殺菌・乾燥処理して再生パルプを得、この工程を経て再生した綿状再生パルプをシート状に形成して製造されたものである事を特徴とする再生尿取りパッド。
【請求項７】
吸水性シートが高分子吸収ポリマー層とシート状の綿状再生パルプを積層したものである請求項６記載の再生尿取りパッド。
【請求項８】
吸水性シートが高分子吸収ポリマー層と綿状再生パルプにバージンパルプを混合させたシート状のパルプを積層したものである請求項６記載の再生尿取りパッド。
【請求項９】
防水性シートが非透水性の合成樹脂フィルムで構成したものである請求項６〜８いずれか記載の再生尿取りパッド。
【請求項１０】
防水性シートが生分解性プラスチックで構成したものである請求項６〜８いずれか記載の再生尿取りパッド。
【発明の詳細な説明】
【０００１】
【発明の属する技術分野】
本発明は、使用済みのおむつ又は尿取りパッドを破砕して離水剤を混入した撹拌槽で水溶化し、高分子吸収ポリマーの吸水した水分を離水させ、循環分離槽で不織布及び防水性シートを除去してパルプ成分を回収し、更にパルプ成分を比重分離槽で分離させて上位部分のパルプを回収し、同パルプ成分を洗浄・殺菌・乾燥処理して得た綿状の再生パルプを利用した再生おむつ及び再生尿取りパッドに関する。
【０００２】
【従来の技術】
従来、使い捨ておむつや尿取りパッドは大量の木材からパルプを生成して製造されている。又、使用された使い捨ておむつや尿取りパッドはその大半が一過性の物として焼却処理されている。近年では森林伐採が自然環境に悪影響を与える事や焼却処理から発生するＣＯ2 の排出、ダイオキシンの発生等が大きな問題となっており、その解決に世界規模で取り組まれている。そこで、使用済みのパルプ製品を再利用するため様々な技術で再生加工して商品化されているが、従来の再生パルプは低質で吸水性に劣り、おむつや尿取りパッドとして必要な性能を付与する事は難しかった。
【０００３】
【発明が解決しようとする課題】
本発明が解決しようとする課題は、従来のこれらの問題点を解消し、使用済みおむつ及び使用済み尿取りパッドから分離回収した再生パルプを使用しながら必要十分な吸水性を付与できる再生おむつ及び再生尿取りパッドを提供する事にある。
【０００４】
【課題を解決するための手段】
かかる課題を解決した本発明の構成は、
１）  綿状再生パルプ質の吸水性シートの下面に防水性シートを被覆し、吸水性シートの上面を身体に当接して使用する再生おむつであって、前記再生パルプ質の吸水性シートが、綿状パルプ・高分子吸収ポリマー・不織布・防水性シートで構成された使用済みのおむつ又は使用済みの尿取りパッドを破砕して離水剤を混入した撹拌槽で水溶化し、高分子吸収ポリマーの吸水した水分を離水させ、循環分離槽で不織布及び防水性シートを除去してパルプ成分を回収し、更にパルプ成分を比重分離槽で分離させて上位部分のパルプを回収し、同パルプ成分を洗浄・殺菌・乾燥処理して綿状の再生パルプを得、この工程を経て再生した綿状再生パルプをシート状に形成して製造されたものである事を特徴とする再生おむつ
２）  吸水性シートが高分子吸収ポリマー層とシート状の綿状再生パルプを積層したものである前記１）記載の再生おむつ
３）  吸水性シートが高分子吸収ポリマー層と綿状再生パルプにバージンパルプを混合させたシート状のパルプを積層したものである前記１）記載の再生おむつ４）  防水性シートが非透水性の合成樹脂フィルムで構成したものである前記１）〜３）いずれか記載の再生おむつ
５）  防水性シートが生分解性プラスチックで構成したものである前記１）〜３）いずれか記載の再生おむつ
６）  綿状再生パルプ質の吸水性シートの下面に防水性シートを被覆し、吸水性シートの上面を身体に当接して使用する再生尿取りパッドであって、前記再生パルプ質の吸水性シートが、綿状パルプ・高分子吸収ポリマー・不織布・防水性シートで構成した使用済みのおむつ又は使用済みの尿取りパッドを破砕して離水剤を混入した撹拌槽で水溶化し、高分子吸収ポリマーの吸水した水分を離水させ、循環分離槽で不織布及び防水性シートを除去してパルプ成分を回収し、更にパルプ成分を比重分離槽で分離させて上位部分のパルプを回収し、同パルプ成分を洗浄・殺菌・乾燥処理して再生パルプを得、この工程を経て再生した綿状再生パルプをシート状に形成して製造されたものである事を特徴とする再生尿取りパッド
７）  吸水性シートが高分子吸収ポリマー層とシート状の綿状再生パルプを積層したものである前記６）記載の再生尿取りパッド
８）  吸水性シートが高分子吸収ポリマー層と綿状再生パルプにバージンパルプを混合させたシート状のパルプを積層したものである前記６）記載の再生尿取りパッド
９）  防水性シートが非透水性の合成樹脂フィルムで構成したものである前記６）〜８）いずれか記載の再生尿取りパッド
１０）  防水性シートが生分解性プラスチックで構成したものである前記６）〜８）いずれか記載の再生尿取りパッド
にある。
【０００５】
【作用】
本発明では、分離回収したパルプを更に比重分離槽で分離させ、上位部分は高品質なパルプ、中位部分は蘇生紙用パルプ、下位部分は汚泥成分となり、本発明はこの上位部分を選定して回収し、洗浄・殺菌・乾燥処理を施したパルプを用いるから、再生パルプながらバージンパルプと同等の品質・性能が付与される。
防水性シートが生分解性プラスチックで構成したものは、使用後の処理過程において水溶化させ、パルプ成分の分離回収時に除去することなく汚泥と共に土壌改良剤として緑農地へ還元される。
【０００６】
【発明の実施の形態】
本発明の綿状再生パルプは、綿状パルプ・高分子吸収ポリマー・不織布・防水性シートで構成された使用済みのおむつや尿取りパッドを破砕して塩化カルシウム等の多価金属イオンの離水剤を混入した水と混合し、高分子吸収ポリマーの吸収した水分を離水させ、不織布及び防水性シートを除去してパルプ成分を回収し、更に比重分離槽で分離させて上位部分の高品質のパルプ成分のみを回収し、洗浄・殺菌・乾燥処理して得た綿状の再生パルプが用いられる。
吸水性シートは綿状再生パルプのみを用いた単層のものでも良いが、高分子吸収ポリマー層の片面又は両面に綿状再生パルプを積層させた多層構造とすると吸水性がより向上して好ましい。吸水性シートは透水性を有する不織布により上面全体を被覆して形状を保持し、型崩れしないようにするのが望ましい。
防水性シートはポリエチレンフィルム等の非透水性のシートが一般的に用いられるが、生分解性プラスチックを用いると廃棄しても分解して環境に悪影響を与えることがないので好ましい。生分解性プラスチックとしてはパイオポール（商品名）などの微生物生産系、セルグリーン（商品名）やビオノーレ（商品名）等の化学合成系、エコウェア（商品名）等の天然物利用系、マタービー（商品名）等の複合系などがあり、用途、性能に応じて選定される。
【０００７】
以下、本発明の実施例を図面に基づいて具体的に説明する。
【０００８】
【実施例】
実施例１（図１〜４参照）
図１〜４に示す実施例１は、高分子吸収ポリマー層の両面にシート状の綿状の再生パルプを積層した吸水性シートを不織布で被覆し、これを防水性シートの片面に貼着して構成した再生おむつの例である。
図１は、実施例１の再生おむつの斜視図である。
図２は、図１のＡ−Ａ断面図である。
図３は、実施例１の再生パルプを得る工程説明図である。
図４は、実施例１の循環分離槽の説明図である。
【０００９】
図中、１は再生おむつである。
２は吸水性シートであって、高分子吸収ポリマー２ａの両面に綿状の再生パルプ２ｂを積層一体化して３層構造としている。
３は不織布であって、吸水性シート２を下方から包囲するように被覆して吸水性シート２が型崩れしないようにしている。
４は防水性シートであって、ポリエチレン樹脂からなり、不織布３で被覆された吸水性シート２を更に下方から包囲するように被覆して、吸水した屎尿が外部に漏出しないようにしている。
５は不織布であって、不織布３と防水性シート４とで被覆された吸水性シート２の上方に被覆して防水性シート４と接着一体化している。
６は伸縮部であって、着用者の太股に密着するようにゴム等で伸縮自在に形成している。
７は着用後に腰部が外れないようにする固定テープ、１１は破砕器、１２は離水剤である。
１３は撹拌槽であって、撹拌器１３ａを設け、撹拌された液体を外部に送出するポンプ１３ｂを設けている。
１４は循環分離槽であって、空間内に撹拌槽１３のポンプ１３ｂにより送出された混合液を空間内で上方に噴出させる噴出管１４ａを設け、噴出された混合液から比重の小さい防水性シートの破砕片を掻き取って回収する掻取器１４ｂと回収ボックス１４ｃをそれぞれ設け、防水性シートの破砕片が除去された残りのパルプ成分を回収して外部に送出する取出管１４ｄを設け、比重大により落下した高分子吸収ポリマーを回収して外部に排出する排出管１４ｅを設けている。
１５は比重分離槽であって、循環分離槽１４の取出管１４ｄにより送出されたパルプ成分を貯蔵して比重差により異なる成分に分離させて上位部分を取り出し可能にしている。
１６は洗浄・殺菌工程、１７は脱水工程、１８はシート成形工程、ｐは使用済みのおむつ又は使用済みの尿取りパッド、Ｐは再生パルプである。
【００１０】
本実施例では、図３に示すように使用済みのおむつ（又は尿取りパッド）ｐを回収して破砕器１１で破砕した後、貯水した撹拌槽１３に離水剤１２と共に投入して撹拌器１３ａで混合・撹拌し、撹拌した混合液をポンプ１３ｂで循環分離槽１４に送出する。
循環分離槽１４では送出された混合液を噴出管１４ａにより上方に噴出させ、掻取器１４ｂにより比重の小さい防水性シートの破砕片を掻き取って回収ボックス１４ｃに回収し、残りの成分中からパルプ成分は取出管１４ｄにより外部に回収させるとともに、比重の大きい高分子吸収ポリマーは下方に落下させて排出管１４ｅにより外部に排出させる。
回収されたパルプ成分は比重分離槽１５に貯蔵した後、所定時間経過させて比重差により異なる成分に分離させる。分離した各成分のうち上位部分の高品質なパルプ成分のみを回収し、洗浄・殺菌・脱水処理後にシート状に成形して綿状の再生パルプＰとし、別途高分子吸収ポリマー２ａの両面に再生パルプＰを積層圧着して吸水性シート２を形成する。そして、この吸水性シート２を不織布３，５と防水性シート４とで被覆一体化して再生おむつ１を得る。
【００１１】
本実施例ではこのように構成したから、高品質なパルプを選定して回収することにより、得られる綿状再生パルプは必要十分な吸水性を有しており、再生パルプを使用しながらおむつとして優れた性能を示すものとなる。従って、再生パルプの使用量を増大できる分、相対的に木材の伐採量を低減するとともに焼却処理で発生するＣＯ2 やダイオキシンの発生を減少させ、自然環境保護に寄与できる。
【００１２】
なお、本実施例における再生パルプ及びパルプ回収液の各種試験結果を以下に示す。
【表１】
0003648472.tif 000002
【表２】
0003648472.tif 000003
【表３】
0003648472.tif 000004
【００１３】
水分吸水能力及び消臭性能についてはいずれもバージンパルプとほぼ同等の性能を示した。また、細菌検査についてはいずれの項目においても問題は認められなかった。
このように、本実施例による再生パルプは実用に十分耐え得る性能を示していることが明らかである。
【００１４】
実施例２（図５参照）
図５に示す実施例２は、実施例１の実施中に得られる再生パルプを尿取りパッドに適用した再生尿取りパッドの例である。
図５は、実施例２の再生尿取りパッドの斜視図である。
図中、２１は再生尿取りパッド、２２は吸水性シート、２３は防水性シート、２３ａは伸縮部、２４は下着に固定する粘着部である。
実施例２では用途と形状が異なる以外、符号、構成は実施例１の再生おむつと同様である。
【００１５】
【発明の効果】
以上説明したように、本発明によれば、使用済みおむつ及び尿取りパッドから分離回収された再生したパルプを使用しながら必要十分な吸水性を付与できる再生おむつ及び再生尿取りパッドを提供できる。
【図面の簡単な説明】
【図１】実施例１の再生おむつの斜視図である。
【図２】図１のＡ−Ａ断面図である。
【図３】実施例１の再生パルプを得る工程説明図である。
【図４】実施例１の循環分離槽の説明図である。
【図５】実施例２の再生尿取りパッドの斜視図である。
【符号の説明】
１  再生おむつ
２  吸水性シート
２ａ  高分子吸収ポリマー
２ｂ  再生パルプ
３  不織布
４  防水性シート
５  不織布
６  伸縮部
７  固定テープ
１１  破砕器
１２  離水剤
１３  撹拌槽
１３ａ  撹拌器
１３ｂ  ポンプ
１４  循環分離槽
１４ａ  噴出管
１４ｂ  掻取器
１４ｃ  回収ボックス
１４ｄ  取出管
１４ｅ  排出管
１５  比重分離槽
１６  洗浄・殺菌工程
１７  脱水工程
１８  シート成形工程
２１  再生尿取りパッド
２２  吸水性シート
２３  防水性シート
２３ａ  伸縮部
２４  粘着部
ｐ  使用済みのおむつ（使用済みの尿取りパッド）
Ｐ  再生パルプ
【図１】
0003648472.tif 000005
【図２】
0003648472.tif 000006
【図３】
0003648472.tif 000007
【図４】
0003648472.tif 000008
【図５】
0003648472.tif 000009